(57)【要約】【課題】その作製の簡易化を図ると共に、模型全体に爽やかさを演出する植栽模型のパーツ作製用部材及び植栽パーツを提供すること。【解決手段】模型の植栽パーツ６は、細角状の合成樹脂発泡体２の上側面に細長いシート３を貼り付けてなる模型の植栽パーツ作製用部材１の短繊維４に着色を施し、模型の植栽パーツ作製用部材１を所望の長さに切断することにより作製される。【選択図】      図２
2004198453.tif 000002
【特許請求の範囲】
【請求項１】
細角棒状の合成樹脂発泡体の上側面に、その表面に短繊維を植えたカーペット状の細長いシートを貼り付けてなることを特徴とする模型の植栽パーツ作製用部材。
【請求項２】
前記合成樹脂発泡体に色彩を施したことを特徴とする請求項１に記載の模型の植栽パーツ作製用部材。
【請求項３】
色彩の異なる２本の前記合成樹脂発泡体を１枚の前記シートで長さ方向に接続してなることを特徴とする請求項２に記載の模型の植栽パーツ作製用部材。
【請求項４】
請求項１乃至請求項３のいずれかに記載の前記模型の植栽用パーツ作製用部材を所望の長さに切断して作製することを特徴とする模型の植栽パーツ。
【発明の詳細な説明】
【０００１】
【発明の属する技術分野】
本発明は、建物模型等に用いられる模型の植栽パーツ作製用部材及び植栽パーツに関する。
【０００２】
【従来の技術】
プレゼンテーション用模型１００においては、図７に示すように、住宅パーツ１０１は実際の屋根・壁の色に対応させて作製し、庭等の外構１０２も実際の植栽計画に対応させて作製することが多い。このとき、外構１０２は、市販の樹木パーツ１０３を用いることが多く、花壇・鉢植え等の植栽パーツ１０４は、必要に応じて１品ずつ作製していた。
【０００３】
【発明が解決しようとする課題】
しかしながら、従来の植栽パーツ６では、以下に示す問題点がある。
まず、模型製作時に必要な植栽パーツ６は、１品ずつ作製して相当数をストックしておく必要があるため、手間と時間がかかるという問題点がある。
【０００４】
また、植栽パーツ６は、花壇や鉢植え等の植栽材の種類に応じて作製の仕方が変わるため、多品種を作製しにくいという問題点がある。
【０００５】
更に、プレゼンテーション用模型１００においては、住宅パーツ１０１は実際の住宅の屋根・壁の色に対応させてグレイッシュトーンで構成され、外構１０２も住宅の屋根・壁の色と調和域で対応させるので、色相・明度・彩度共に曖昧近似域で組み合わせることが多くなり、プレゼンテーション用模型１００全体として地味で暗くダルな印象に仕上がることが多いという問題点がある。
【０００６】
本発明は、上記課題に鑑みてなされたものであり、その作製の簡易化を図ると共に、模型全体に爽やかさを演出する植栽パーツ及び植栽パーツ作製用部材を提供することを目的とする。
【０００７】
【課題を解決するための手段】
前記目的を達成するためになされた本発明の請求項１に記載の模型の植栽パーツ作製用部材は、細角棒状の合成樹脂発泡体の上側面に、その表面に短繊維を植えたカーペット状の細長いシートを貼り付けてなることを特徴とするものである。
【０００８】
請求項２に記載の模型の植栽パーツ作製用部材は、請求項１に記載の模型の植栽パーツ作製用部材において、前記合成樹脂発泡体に色彩を施したことを特徴とするものである。
【０００９】
請求項３に記載の模型の植栽パーツ作製用部材は、請求項２に記載の模型の植栽パーツ作製用部材において、色彩の異なる２本の前記合成樹脂発泡体を１枚の前記シートで長さ方向に接続してなることを特徴とするものである。
【００１０】
請求項４に記載の模型の植栽パーツは、請求項１乃至請求項３のいずれかに記載の前記模型の植栽用パーツ作製用部材を所望の長さに切断したことを特徴とするものである。
【００１１】
【発明の実施の形態】
以下、本発明の実施の形態について図面に基づいて説明する。
本実施の形態に係る模型の植栽パーツ作製用部材１は、図１または図２に示すように、細角状の合成樹脂発泡体２の上側面に細長いシート３を貼り付けてなるものである。
【００１２】
合成樹脂発泡体２は、図１に示すように、断面略正方形の長尺のプラスチックフォームであり、その長さは、加工しやすさ等を考慮して２００ｍｍ乃至４００ｍｍ程度としている。また、その一辺の大きさは、プレゼンテーション用模型１００の住宅パーツ１０１(図５参照)とのバランスや縮尺を考慮して、例えば、２乃至１０ｍｍに設定されている。本実施の形態では、住宅のプレゼンテーション用模型１００(図５参照)が１／１００の縮尺で作製されることとして、一辺の大きさを３ｍｍ程度としている。なお、住宅のプレゼンテーション用模型１００(図５参照)を１／５０の縮尺で作製する場合には、その縮尺に対応させて合成樹脂発泡体２の一辺の大きさも６ｍｍ程度とすると好適である。また、その色を橙色または薄灰色としているが、これに限定されるものではなく、白色または緑色等の他の色としてもよい。しかしながら、合成樹脂発泡体２の色を橙色または薄灰色等の植木鉢色やプランター色とすると、合成樹脂発泡体２自身をプレゼンテーション用模型１００(図５参照)において植木鉢やプランターに見立てることができるので、合成樹脂発泡体２の側面に着色等を施す手間を省くことができ、好適である。
【００１３】
シート３は、図１に示すように、合成樹脂発泡体２の一辺の大きさと略等しい幅の長尺のものであって、その表面は短繊維４がカーペット状に植えられており、その裏面は合成樹脂発泡体２に貼り付けることができるよう粘着テープ５が備えられている。なお、シート３及び短繊維４の色は、植栽用であることに考慮して実際の植物や土の色を模して緑色系または黄色系とすると好適である。
このように、シート３の表面に短繊維４を設けているので、プレゼンテーション用模型１００(図５参照)において植物の質感を演出することができる。
【００１４】
模型の植栽パーツ作製用部材１は、１本の合成樹脂発泡体２の上側面にシート３を貼り付けることにより構成してもよいが、図２に示すように、一度に多品種を作製することができるように、色彩の異なる２本の合成樹脂発泡体２を１枚のシート３で長さ方向に接続することにより構成してもよい。
【００１５】
本実施の形態に係る植栽パーツ６は、図２に示すように、植栽パーツ作製用部材１の短繊維４に着色を施し、植栽パーツ作製用部材１を所望の長さ、例えば、３乃至１５ｍｍ位の長さに切断することにより作製される。
【００１６】
短繊維４への着色は、アクリル絵の具等を用いて行う。このとき、植栽パーツ作製用部材１の長さ方向全長にわたって同色を着色し、一度に同種の植栽パーツ６を数多く作製するようにしてもよいが、所望の長さ毎に異なる色を着色して、一度に多品種を作製するようにしてもよい。また、着色する色は、短繊維４の色を緑色系または黄色系としているので、実際の植栽の葉や花の色よりも濃い色または彩度または明度が大きい色を選択して、住宅パーツ１０１(図５参照)とのコントラストを大きくするのが効果的である。
【００１７】
また、図３に示すように、別の部材で所望の形状の基台７を作製し、該基台７の外周面に植栽パーツ６を貼り付けることにより、大きな植栽パーツ８も作製することができる。
更に、図４に示すように、短繊維４に着色した別の合成樹脂発泡体の砕片９または図外の粉末等を接着して植栽パーツ６にボリュームと質感を持たせるようにすることもできる。
更にまた、本実施の形態では、短繊維４に着色を施して植栽パーツ６を作製することとしたが、植栽パーツ作製用部材１を所望の長さに切断するだけで着色を施さずに植栽パーツ６を作製することとしてもよい。
【００１８】
以上の手順で作製された植栽パーツ６は、図５に示すように、透明ケースやパレット等の収納ケース１０を使って、種類毎に分けて収納しておく。これにより、植栽パーツ６を数多くストックしておくことができ、プレゼンテーション用模型１００(図５参照)を作製する度毎に植栽パーツ６を作製する手間を省くことができる。また、異なる種類の植栽パーツ６を一目で認識することができるので、表現上最適なものを選択して使うことができる。
【００１９】
植栽パーツ６のプレゼンテーション用模型１００への取付けは、図６に示すように、外構１０２の所望の位置に必要数個を接着剤等で接着することにより行う。
植栽パーツ６は、実際の植栽の葉や花の色よりも濃い色または彩度または明度が大きい色を選択しているので、色彩の対比効果により住宅パーツ１０１が引き締まって見えるだけでなく、プレゼンテーション用模型１００全体に爽やか感を演出することができる。
また、暖色系の着色を施した植栽パーツ６を用いることにより、色彩の心理的効果により、見る者にプレゼンテーション用模型１００全体に暖かさを感じさせることができるので、クライアントにプレゼンテーション用模型１００に対する親しみを与えることができる。
【００２０】
なお、本実施の形態では、プレゼンテーション用模型に用いているが、これに限定されるものではなく、箱庭、城、ジオラマ等の作製にも用いることができる。
【００２１】
【発明の効果】
以上説明したように、本発明の請求項１に記載の模型の植栽パーツ作製用部材によれば、模型の植栽パーツ作製用部材を所望の長さに切断するだけで容易に植栽パーツを作製することができるという利点がある。
【００２２】
請求項２に記載の模型の植栽パーツ作製用部材によれば、合成樹脂発泡体に着色を施しているので、合成樹脂発泡体自身を植木鉢やプランター等に見立てることができ、合成樹脂発泡体の側面に着色等を施す手間を省くことができるという利点がある。
【００２３】
請求項３に記載の模型植栽パーツ作製用部材によれば、一度に多品種の植栽パーツを作製することができるという利点がある。
【００２４】
請求項４に記載の模型の植栽パーツによれば、上記の各利点に加えて、従来のように１品ずつ作製する必要がないので、模型作製者の負担を軽減させることができるという利点がある。
また、模型植栽パーツ作製用部材を所望の長さ毎に異なる色彩で着色して切断するだけで、一度に多種類の植栽パーツを作製することができるという利点がある。
更に、着色する際にプレゼンテーション用模型の住宅パーツと比較して彩度または明度の大きい色で着色することにより、プレゼンテーション用模型に爽やかさや暖かみを演出することができ、クライアントにプレゼンテーション用模型に対する親しみを与えることができるという利点がある。
【図面の簡単な説明】
【図１】本発明の実施の形態に係る模型の植栽用パーツ作製用部材の一部分を示す斜視図である。
【図２】本発明の実施の形態に係る模型の植栽用パーツ作製用部材及び模型の植栽用パーツを示す斜視図である。
【図３】本発明の実施の形態に係る模型の植栽用パーツ作製用部材及び模型の植栽用パーツを示す斜視図である。
【図４】本発明の他の実施の形態に係る模型の植栽用パーツ作製用部材及び模型の植栽用パーツを示す斜視図である。
【図５】本発明の実施の形態に係る模型の植栽用パーツを収納ケースに収納した状態を示す斜視図である。
【図６】本発明の実施の形態に係る模型の植栽用パーツを配したプレゼンテーション用模型を示す斜視図である。
【図７】従来のプレゼンテーション用模型を示す斜視図である。
【符号の説明】
１  植栽パーツ作製用部材
２  合成樹脂発泡体
３  シート
４  短繊維
６  植栽パーツ
【図１】
2004198453.tif 000003
【図２】
2004198453.tif 000004
【図３】
2004198453.tif 000005
【図４】
2004198453.tif 000006
【図５】
2004198453.tif 000007
【図６】
2004198453.tif 000008
【図７】
2004198453.tif 000009